(57)【要約】【課題】  使用状況に応じてより効果的に消費電力を低減することができるデジタル複合機を提供することを目的とする。【解決手段】  ユーザ操作に基づいて録音部１９が録音可能状態とされ、留守番電話機能が実行されるのに基づいて、各機能に対応付けられた機能対応モジュール６に供給する電圧を制御する。これにより、留守番電話機能の実行中には使用しないようなコピー機能、プリンタ機能、スキャナ機能、ネットワーク機能、フォト印刷機能又は赤外線通信機能などについては、その機能を実行するためのモジュールに供給する電圧を遮断することにより、使用状況に応じて効果的に消費電力を低減することができる。【選択図】  図１
2007336402.tif 000002
【特許請求の範囲】
【請求項１】
原稿読取手段及び画像記録手段を備え、上記原稿読取手段で読み取った原稿の画像データに基づいて、上記画像記録手段において記録媒体に画像を記録することができるとともに、通信回線を介して接続されたクライアント端末との間で画像データを送信又は受信することができ、かつ、上記通信回線外の通信網に接続された外部端末との間で通話及びファクシミリ通信を行うことができるデジタル複合機であって、
上記通信網を介して、外部端末から信号を受信する信号受信手段と、
上記信号受信手段で受信した呼出信号に応答して、外部端末との間で通信状態を確立させる自動応答手段と、
上記信号受信手段で受信する外部端末からの信号に基づいて、通話又はファクシミリ通信のいずれかを選択する通信選択手段と、
上記通信選択手段により通話が選択された場合に、上記通信状態で受信する音声信号に基づく音声を録音する録音手段と、
ユーザ操作に基づいて、上記録音手段を録音可能状態とする留守番電話起動手段と、
上記録音手段が録音可能状態とされるのに基づいて、上記原稿読取手段及び上記画像記録手段を含む駆動対象に供給する電圧を制御する電圧供給制御手段とを備えたことを特徴とするデジタル複合機。
【請求項２】
上記通信網に接続されるモデムと、
外部端末から上記モデムを介してファクシミリ通信により受信した画像データを記憶するファクシミリ画像記憶手段と、
外部端末から上記モデムを介してファクシミリ通信により受信した画像データに対する画像処理を行うファクシミリ画像処理手段とを備え、
上記電圧供給制御手段は、上記録音手段が録音可能状態とされるのに基づいて、上記信号受信手段、上記モデム、上記ファクシミリ画像記憶手段及び上記ファクシミリ画像処理手段とは異なる少なくとも１つの駆動対象に供給する電圧を遮断することを特徴とする請求項１に記載のデジタル複合機。
【請求項３】
上記録音手段が録音可能状態とされるのに基づいて、その旨を報知するための報知処理を行う報知処理手段と、
上記報知処理中に行われたユーザ操作に基づいて、上記電圧供給制御手段により電圧を制御する駆動対象を選択する選択処理手段とを備えたことを特徴とする請求項１又は２に記載のデジタル複合機。
【請求項４】
上記電圧供給制御手段は、上記選択処理手段により選択された駆動対象に供給する電圧を遮断することを特徴とする請求項３に記載のデジタル複合機。
【請求項５】
上記電圧供給制御手段は、上記選択処理手段により選択された駆動対象以外の駆動対象に供給する電圧を遮断することを特徴とする請求項３に記載のデジタル複合機。
【請求項６】
上記選択処理手段により選択された駆動対象に供給する電圧を遮断するか、又は、選択された駆動対象以外の駆動対象に供給する電圧を遮断するかの設定を、ユーザ操作に基づいて予め記憶しておくための設定記憶手段を備え、
上記電圧供給制御手段は、上記設定記憶手段に記憶されている設定に基づいて電圧を制御することを特徴とする請求項３に記載のデジタル複合機。
【発明の詳細な説明】
【技術分野】
【０００１】
本発明は、デジタル複合機に係り、さらに詳しくは、コピー機能、プリンタ機能、スキャナ機能及びファクシミリ機能などを備えたデジタル複合機に関する。
【背景技術】
【０００２】
近年、コピー機能、プリンタ機能、スキャナ機能及びファクシミリ機能などの複数の機能を備えたデジタル複合機が、企業内だけでなく一般家庭においても普及しつつある。このようなデジタル複合機において、コピー機能は、スキャナで読み取った原稿の画像データに基づいて用紙に画像を記録することにより実行される。プリンタ機能は、ＬＡＮ(Local Area Network)を介して接続されたクライアント端末から画像データを受信し、その画像データに基づいて用紙に画像を記録することにより実行される。スキャナ機能は、スキャナで読み取った原稿の画像データをクライアント端末へ送信することにより実行される。ファクシミリ機能は、ＬＡＮ外の電話回線に接続されたファクシミリ装置との間でファクシミリ通信を行うことにより実行される。
【０００３】
デジタル複合機の中には、電話回線に接続された電話機との間で通話を行う通話機能を実行できるようになっているものがある。この種のデジタル複合機としては、通話のための呼出信号を受信した場合に、その呼出信号に自動で応答して通信状態を確立させ、通信状態で受信する音声信号に基づく音声を録音することにより、いわゆる留守番電話機能を実行することができるようなものが主流となっている。
【０００４】
このようなデジタル複合機は、コピー機能、プリンタ機能、スキャナ機能及びファクシミリ機能などの複数の機能を実行するためのモジュールを多数備えている。したがって、全ての機能に関するモジュールを常に起動させた状態にしておくと、頻繁には実行しない機能に関するモジュールも常に電力を消費することとなり、必要以上に電力を消費してしまう。特許文献１〜３には、ファクシミリ装置に関する技術として、消費電力を低減することができるような種々の構成が提案されている。
【特許文献１】特開平２−１３００６９号公報
【特許文献２】特開平９−８９６９号公報
【特許文献３】特開平１０−１６４２９３号公報
【発明の開示】
【発明が解決しようとする課題】
【０００５】
留守番電話機能を備えたデジタル複合機においては、通常、ユーザが外出する際に所定の操作を行うことにより留守番電話機能が実行され、呼出信号の受信待機状態となる。したがって、留守番電話機能が実行されているときには、ユーザが留守中でデジタル複合機を直接操作することはなく、コピー機能、プリンタ機能及びスキャナ機能などに関するモジュールがユーザ操作に基づいて動作することはないのが一般的である。
【０００６】
これに対して、通話機能に関するモジュールは、留守番電話機能の実行中に外部の電話機から呼出信号を受信して音声を録音する際に、ユーザが留守中であっても動作する場合がある。また、ファクシミリ機能に関するモジュールについても、ユーザの留守中に外部のファクシミリ装置からファクシミリ通信により画像データを受信したときに動作する場合がある。
【０００７】
このように、留守番電話機能を備えたデジタル複合機においては、留守番電話機能の実行中であるかどうかによって、使用される可能性のある機能が異なる場合がある。そのため、留守番電話機能の実行中であるかどうかに応じて電圧を供給するモジュールを選択すれば、より効果的に消費電力を低減することが可能である。
【０００８】
特許文献１には、ファクシミリ装置の機能部分ごとに個別にスイッチ回路を設けて、動作部分に対してのみ電源供給を行うような技術が開示されているが、留守番電話機能との関係における電源供給の具体的な態様や課題については記載されていない。また、特許文献２には、スタンバイ状態のときに二次電池を用いて電源供給を行うことにより、消費電力を低減するような技術が開示されているが、やはり留守番電話機能との関係についての具体的な記載はない。
【０００９】
特許文献３には、留守番電話モードへの移行に伴って主電源の動作が停止され、二次電池を用いて電源供給を行うような技術が開示されている。しかし、留守番電話モード中は使用することのないモジュールにも二次電池から電源供給が行われるため、無駄な電力を消費することとなる。
【００１０】
本発明は、上記の事情に鑑みてなされたものであり、使用状況に応じてより効果的に消費電力を低減することができるデジタル複合機を提供することを目的とする。
【課題を解決するための手段】
【００１１】
第１の本発明によるデジタル複合機は、原稿読取手段及び画像記録手段を備え、上記原稿読取手段で読み取った原稿の画像データに基づいて、上記画像記録手段において記録媒体に画像を記録することができるとともに、通信回線を介して接続されたクライアント端末との間で画像データを送信又は受信することができ、かつ、上記通信回線外の通信網に接続された外部端末との間で通話及びファクシミリ通信を行うことができるデジタル複合機であって、上記通信網を介して、外部端末から信号を受信する信号受信手段と、上記信号受信手段で受信した呼出信号に応答して、外部端末との間で通信状態を確立させる自動応答手段と、上記信号受信手段で受信する外部端末からの信号に基づいて、通話又はファクシミリ通信のいずれかを選択する通信選択手段と、上記通信選択手段により通話が選択された場合に、上記通信状態で受信する音声信号に基づく音声を録音する録音手段と、ユーザ操作に基づいて、上記録音手段を録音可能状態とする留守番電話起動手段と、上記録音手段が録音可能状態とされるのに基づいて、上記原稿読取手段及び上記画像記録手段を含む駆動対象に供給する電圧を制御する電圧供給制御手段とを備えて構成される。
【００１２】
このような構成により、ユーザ操作に基づいて録音手段が録音可能状態とされ、留守番電話機能が実行されるのに基づいて、駆動対象に供給する電圧を制御することができる。したがって、留守番電話機能の実行中には使用しないような機能については、その機能を実行するための駆動対象に供給する電圧を低下させることにより、使用状況に応じて効果的に消費電力を低減することができる。
【００１３】
第２の本発明によるデジタル複合機は、上記通信網に接続されるモデムと、外部端末から上記モデムを介してファクシミリ通信により受信した画像データを記憶するファクシミリ画像記憶手段と、外部端末から上記モデムを介してファクシミリ通信により受信した画像データに対する画像処理を行うファクシミリ画像処理手段とを備え、上記電圧供給制御手段は、上記録音手段が録音可能状態とされるのに基づいて、上記信号受信手段、上記モデム、上記ファクシミリ画像記憶手段及び上記ファクシミリ画像処理手段とは異なる少なくとも１つの駆動対象に供給する電圧を遮断するように構成される。
【００１４】
このような構成により、ユーザ操作に基づいて録音手段が録音可能状態とされ、留守番電話機能が実行されるのに基づいて、信号受信手段、モデム、ファクシミリ画像記憶手段及びファクシミリ画像処理手段以外の駆動対象に供給する電圧を遮断することができる。
【００１５】
通話機能を実行するためには、信号受信手段を動作させる必要があり、ファクシミリ機能を実行するためには、信号受信手段、モデム、ファクシミリ画像記憶手段及びファクシミリ画像処理手段を動作させる必要がある。本発明の構成によれば、ユーザが留守中であっても動作する場合のある通話機能及びファクシミリ機能に関する駆動対象以外の駆動対象に供給する電圧を遮断することにより、使用状況に応じて効果的に消費電力を低減することができる。
【００１６】
第３の本発明によるデジタル複合機は、上記録音手段が録音可能状態とされるのに基づいて、その旨を報知するための報知処理を行う報知処理手段と、上記報知処理中に行われたユーザ操作に基づいて、上記電圧供給制御手段により電圧を制御する駆動対象を選択する選択処理手段とを備えて構成される。
【００１７】
ユーザによっては、通話機能及びファクシミリ機能に関する駆動対象以外の駆動対象についても、電圧を遮断しないように設定したい場合がある。例えば、留守中でないときにも留守番電話機能を実行させた状態で使用するようなユーザの場合には、留守番電話機能の実行中にコピー機能、プリンタ機能又はスキャナ機能などが実行される場合がある。このような場合、留守番電話機能が実行されるのに基づいて、それらの機能に関する駆動対象への供給電圧が遮断されると、当該機能を実行する際に対応する駆動対象を起動するのに時間がかかってしまう。
【００１８】
本発明の構成によれば、使用状況に応じてユーザが自ら操作を行うことによって、電圧を制御する駆動対象を選択することができる。特に、留守番電話機能が実行される際に行われる応答メッセージの再生などの報知処理中に、ユーザ操作により駆動対象を選択することができるので、駆動対象を選択するためのモードを別途に起動させる必要がなく、操作性が向上する。
【００１９】
第４の本発明によるデジタル複合機において、上記電圧供給制御手段は、上記選択処理手段により選択された駆動対象に供給する電圧を遮断するように構成される。
【００２０】
このような構成により、ユーザが駆動対象を選択する操作を行うことによって、選択された駆動対象に供給する電圧を遮断することができる。すなわち、ユーザは、留守番電話機能の実行中には使用しない機能に関する駆動対象を選択することにより、その駆動対象に供給する電圧を遮断することができる。
【００２１】
第５の本発明によるデジタル複合機において、上記電圧供給制御手段は、上記選択処理手段により選択された駆動対象以外の駆動対象に供給する電圧を遮断するように構成される。
【００２２】
このような構成により、ユーザが駆動対象を選択する操作を行うことによって、選択された駆動対象以外の駆動対象に供給する電圧を遮断することができる。すなわち、ユーザは、留守番電話機能の実行中でも使用する機能に関する駆動対象を選択することにより、それ以外の駆動対象に供給する電圧を遮断することができる。
【００２３】
第６の本発明によるデジタル複合機は、上記選択処理手段により選択された駆動対象に供給する電圧を遮断するか、又は、選択された駆動対象以外の駆動対象に供給する電圧を遮断するかの設定を、ユーザ操作に基づいて予め記憶しておくための設定記憶手段を備え、上記電圧供給制御手段は、上記設定記憶手段に記憶されている設定に基づいて電圧を制御するように構成される。
【００２４】
このような構成により、ユーザが駆動対象を選択する操作を行うことによって、選択された駆動対象に供給する電圧を遮断するか、又は、選択された駆動対象以外の駆動対象に供給する電圧を遮断するかを予め設定しておくことができる。
【発明の効果】
【００２５】
本発明によれば、留守番電話機能の実行中には使用しないような機能については、留守番電話機能が実行されるのに基づいて、その機能を実行するための駆動対象に供給する電圧を低下させることにより、使用状況に応じて効果的に消費電力を低減することができる。
【発明を実施するための最良の形態】
【００２６】
実施の形態１．
図１は、本発明の実施の形態１によるデジタル複合機１の一例を示したブロック図である。このデジタル複合機１は、外部の電話機との間で通話を行う通話機能、原稿の画像を読み取って画像データに基づく画像を用紙に記録するコピー機能、クライアント端末から受信した画像データに基づいて用紙に画像を記録するプリンタ機能、原稿の画像を読み取って画像データをクライアント端末へ送信するスキャナ機能、及び、外部のファクシミリ装置との間でファクシミリ通信を行うファクシミリ機能などの複数の機能を実行できる。
【００２７】
このデジタル複合機１は、ＣＰＵ(Central Processing Unit)１０と、このＣＰＵ１０により制御されるＲＡＭ(Random Access Memory)１１、ＲＯＭ(Read-Only Memory)１２、操作表示部１３、ＬＥＤ(Light-Emitting Diode)表示部１４、キースキャン部１５、回線制御装置１６、受話器１７、スピーカ１８、録音部１９、モデム２０、画像コーデック２１、画像データ記憶部２２、ＮＩＣ(Network Interface Card)２３、スキャナ２４、スキャナ制御部２５、プリンタ２６、プリンタ制御部２７、カードインターフェース２８、ＵＳＢ(Universal Serial Bus)インターフェース２９及び赤外線インターフェース３０を備えている。
【００２８】
ＲＯＭ１２には、ＣＰＵ１０に実行させるプログラムが格納されており、ＣＰＵ１０がプログラムを実行することにより生成される各種データが、適宜にＲＡＭ１１に格納されるようになっている。操作表示部１３には、ＬＣＤ(Liquid Crystal Display)１３１と、このＬＣＤ１３１を照明するためのバックライト１３２とが備えられており、ＬＣＤ１３１の表示画面に各種表示を行うことができるようになっている。また、操作表示部１３には、多数の操作キー（図示せず）が備えられており、操作キーを押操作することで各種キー操作を行うことができるようになっている。
【００２９】
ＬＥＤ表示部１４は、複数の発光ダイオードからなり、その発光態様によってデジタル複合機１の内部状態や外部との通信状態などを表示する。キースキャン部１５は、操作表示部１３に対するキー操作を検知するためのものである。回線制御装置１６は、呼出信号送受信部１６１及び音声信号送受信部１６２を備えており、電話回線２を介して、電話機やファクシミリ装置などの外部端末に接続されている。
【００３０】
呼出信号送受信部１６１は、通話又はファクシミリ通信を行うために外部端末へ呼出信号を送信したり、外部端末からの呼出信号を受信したりするためのものである。呼出信号に対する応答信号の返信によって通信状態が確立され、通話又はファクシミリ通信が可能になる。音声信号送受信部１６２は、通信状態が確立された状態において、外部端末との間で音声信号を送受信する。通信状態が確立された状態で、通話者の音声に基づく音声信号を送受信すれば通話を行うことができ、画像データに基づく音声信号を送受信すればファクシミリ通信を行うことができる。
【００３１】
受話器１７には、受話用レシーバ及び送話用マイクロフォン（いずれも図示せず）が備えられている。ユーザは、通信状態が確立された状態で受話器１７を耳及び口に近づけて通話を行うことにより、受話用レシーバを介して外部の電話機からの音声を聞くことができるとともに、送話用マイクロフォンを介してユーザの音声を外部の電話機へ出力することができる。スピーカ１８は、外部の電話機からの音声や当該デジタル複合機１内で生成した音声を増幅して出力するためのものである。
【００３２】
このデジタル複合機１は、通話のための呼出信号を受信した場合に、その呼出信号に自動で応答して通信状態を確立させ、通信状態で外部の電話機から受信する音声信号に基づく音声を録音することにより、いわゆる留守番電話機能を実行することができるようになっている。録音部１９は、留守番電話機能の実行中に、通信状態で外部の電話機から受信する音声信号に基づく音声を録音するためのものである。留守番電話機能は、ユーザによるキー操作に基づいて録音部１９が録音可能な状態とされることにより実行される。
【００３３】
モデム２０は、回線制御装置１６を介して電話回線２に接続されている。外部のファクシミリ装置との間でファクシミリ通信を行う場合には、このモデム２０を介して原稿の画像データが送受信されるようになっている。外部のファクシミリ装置から受信した画像データは、画像データ記憶部２２に記憶される。画像コーデック２１は、外部のファクシミリ装置から受信した画像データに対するデコード処理や、外部のファクシミリ装置へ送信する画像データに対するエンコード処理といった画像処理を行うためのものである。
【００３４】
ＮＩＣ２３は、ＬＡＮ(Local Area Network)３に接続されている。当該デジタル複合機１は、ＬＡＮ３に接続されているパーソナルコンピュータなどのクライアント端末との間でデータの送受信を行うことにより、ネットワーク機能を実行することができる。特に、ＬＡＮ３を介してクライアント端末との間で画像データを送信することによりスキャナ機能を実行することができ、画像データを受信することによりプリンタ機能を実行することができる。
【００３５】
スキャナ２４は、原稿の画像を読み取り、画像データを生成する原稿読取手段である。スキャナ２４には、原稿に向けて光を照射する発光部と、発光部から照射された光の原稿における反射光を受光する受光部とが備えられており（いずれも図示せず）、原稿に対する光学的な走査によって原稿の画像を読み取ることができるようになっている。スキャナ機能は、スキャナ２４で読み取った原稿の画像データを、ＬＡＮ３を介してクライアント端末へ送信することにより実行される。
【００３６】
スキャナ制御部２５は、スキャナ読取制御部２５１及びスキャナモータ制御部２５２を備えている。スキャナ読取制御部２５１は、スキャナ２４の受光部における受光量に基づいて、原稿の画像データを生成するための制御を行う。スキャナモータ制御部２５２は、原稿に対する光学的な走査のために発光部を移動させるモータや、スキャナ２４に１枚ずつ原稿を供給するための自動原稿供給装置（図示せず）に備えられたモータなどを制御するためのものである。
【００３７】
プリンタ２６は、トナーやインク等を用いて、記録媒体としての用紙に画像を記録するための画像記録手段である。プリンタ機能は、ＬＡＮ３を介してクライアント端末から受信した画像データに基づいて、プリンタ２６が用紙に画像を記録することにより実行される。また、コピー機能は、スキャナ２４で読み取った原稿の画像データに基づいて、プリンタ２６が用紙に画像を記録することにより実行される。
【００３８】
プリンタ制御部２７は、プリンタ印字制御部２７１及びプリンタモータ制御部２７２を備えている。プリンタ２６が、いわゆるレーザプリンタである場合には、プリンタモータ制御部２７２は、トナーを付着させて用紙に転写するためのドラムを回転させるモータなどを制御し、プリンタ印字制御部２７１は、ドラムにトナーを付着させるための制御や、用紙に転写されたトナーを定着させるための熱源に対する制御などを行う。プリンタ２６が、いわゆるインクジェットプリンタである場合には、プリンタモータ制御部２７２は、インクを噴射するためのプリントヘッドを移動させるモータなどを制御し、プリンタ印字制御部２７１は、プリントヘッドからインクを噴射させるための制御などを行う。
【００３９】
カードインターフェース２８は、ＳＤカードなどのメモリカードとの間でデータの入出力を行うためのものである。メモリカードをデジタルカメラなどの撮像装置に装着した状態で撮影を行うことにより、メモリカードに撮影した画像データを記憶させた後、そのメモリカードをデジタル複合機１に装着すれば、カードインターフェース２８を介してメモリカードに記憶されている画像データを読み出すことができる。このようにしてメモリカードから画像データを読み出し、その画像データに基づく画像をプリンタ２６で用紙に記録することにより、フォト印刷機能を実行することができる。
【００４０】
ＵＳＢインターフェース２９は、ＵＳＢを介して接続される他の端末との間でデータの入出力を行うためのものである。このデジタル複合機１は、パーソナルコンピュータにＬＡＮ３を介して接続することもできるが、ＵＳＢを介して接続することもできるようになっている。したがって、スキャナ機能は、スキャナ２４で読み取った原稿の画像データを、ＵＳＢを介してパーソナルコンピュータへ送信することによっても実行できる。また、プリンタ機能は、ＵＳＢを介してパーソナルコンピュータから受信した画像データに基づいて、プリンタ２６が用紙に画像を記録することによっても実行できる。
【００４１】
赤外線インターフェース３０は、赤外線を用いた非接触通信によって、他の端末との間でデータの入出力を行うためのものである。この赤外線インターフェース３０を介して他の端末との間で通信を行うことにより、赤外線通信機能を実行することができる。
【００４２】
本実施の形態では、留守番電話機能が実行されることにより、録音部１９が録音可能状態とされるのに連動して、このデジタル複合機１に備えられた駆動対象としての各モジュールのうち、ユーザ操作に基づいて選択されたモジュールに供給する電圧が遮断されるようになっている。電圧を遮断させるかどうかの選択は、コピー機能、プリンタ機能、スキャナ機能、ネットワーク機能、フォト印刷機能及び赤外線通信機能などの機能を選択することにより行うことができる。ＲＡＭ１１には、選択されたモジュールに供給する電圧を遮断するか、又は、選択されたモジュール以外のモジュールに供給する電圧を遮断するかの設定を予め記憶することができるようになっている。
【００４３】
ここで、ＣＰＵ１０、ＲＡＭ１１、ＲＯＭ１２、ＬＥＤ表示部１４、キースキャン部１５及び回線制御装置１６は、ユーザによる選択操作に基づいて電圧が遮断されることのない非省電力モジュール４である。操作表示部１３、受話器１７及びスピーカ１８は、ユーザによる選択操作に関わらず共通して電圧が遮断される共通省電力モジュール５である。録音部１９、モデム２０、画像コーデック２１、画像データ記憶部２２、ＮＩＣ２３、スキャナ２４、スキャナ制御部２５、プリンタ２６、プリンタ制御部２７、カードインターフェース２８、ＵＳＢインターフェース２９及び赤外線インターフェース３０は、各機能に対応付けられた機能対応モジュール６である。
【００４４】
通話機能には、機能対応モジュール６のうち、録音部１９が対応付けられている。ファクシミリ機能には、機能対応モジュール６のうち、モデム２０、画像コーデック２１及び画像データ記憶部２２が対応付けられている。
【００４５】
コピー機能には、機能対応モジュール６のうち、スキャナ２４、スキャナ制御部２５、プリンタ２６及びプリンタ制御部２７が対応付けられている。プリンタ機能には、機能対応モジュール６のうち、プリンタ２６、プリンタ制御部２７及びＵＳＢインターフェース２９が対応付けられている。スキャナ機能には、機能対応モジュール６のうち、スキャナ２４、スキャナ制御部２５及びＵＳＢインターフェース２９が対応付けられている。ネットワーク機能には、機能対応モジュール６のうち、ＮＩＣ２３が対応付けられている。フォト印刷機能には、機能対応モジュール６のうち、プリンタ２６、プリンタ制御部２７及びカードインターフェース２８が対応付けられている。赤外線通信機能には、機能対応モジュール６のうち、赤外線インターフェース３０が対応付けられている。
【００４６】
図２は、留守番電話機能を実行したときのＣＰＵ１０による処理の一例を示したブロック図である。本実施の形態において、ＣＰＵ１０は、留守番電話起動部１０１、報知処理部１０２、着信処理部１０３、自動応答部１０４、通信選択部１０５、録音制御部１０６、ファクシミリ制御部１０７、省電力選択処理部１０８及び電圧供給制御部１０９として機能するようになっている。
【００４７】
ユーザにより留守番電話機能を実行するためのキー操作が行われると、留守番電話起動部１０１が録音部１９を起動させて録音可能状態にするとともに、報知処理部１０２が応答メッセージを再生するなどの報知処理を行うことにより、留守番電話機能が実行された旨が報知される。ここで、応答メッセージとは、ユーザが留守中である旨を相手方に報知するための音声であり、留守番電話機能の実行中に呼出信号を受信した場合に、その呼出信号に応答して一定時間だけ再生される。報知処理では、応答メッセージがスピーカ１８から出力されることにより、ユーザが応答メッセージの内容を確認することができるようになっている。
【００４８】
ユーザは、報知処理中に、通話機能及びファクシミリ機能以外の機能、すなわち、コピー機能、プリンタ機能、スキャナ機能、ネットワーク機能、フォト印刷機能及び赤外線通信機能の少なくとも１つを選択する操作を行うことにより、電圧を遮断するモジュールを選択することができる。すなわち、報知処理中のユーザ操作に基づいて選択された機能に対応するモジュールが、省電力選択処理部１０８により、電圧を遮断するモジュールとして選択されるようになっている。
【００４９】
省電力選択処理部１０８は、ＲＡＭ１１に記憶されている設定に基づいて、電圧を遮断するモジュールとして、ユーザが選択した機能に対応するモジュール又はユーザが選択した機能に対応するモジュール以外のモジュールのいずれかを選択する。電圧供給制御部１０９は、省電力選択処理部１０８により選択されたモジュールに供給する電圧を遮断するように制御を行う。
【００５０】
このようにして留守番電話機能が実行された状態で、外部端末から回線制御装置１６を介して呼出信号を受信した場合には、着信処理部１０３が、着信音をスピーカ１８から出力させるなどの着信処理を行うことにより、着信中である旨が報知される。そして、着信処理中に自動応答部１０４が呼出信号に対する応答信号を返信することにより、その外部端末との間で自動的に通信状態が確立される。
【００５１】
通信状態が確立された状態で外部端末から受信する音声信号は、通話のための音声信号又はファクシミリ通信のための音声信号のいずれかである。受信した音声信号がいずれの音声信号であるかは、呼出信号又は呼出信号とは別に送られてくる信号に基づいて検出することができる。通信選択部１０５は、外部端末から受信した音声信号が、通話のための音声信号又はファクシミリ通信のための音声信号のいずれであるかを検出し、その検出結果に基づいて通話又はファクシミリ通信のいずれかを選択する。
【００５２】
通信選択部１０５により通話が選択された場合には、録音制御部１０６が録音部１９を制御することにより、通信状態で受信する音声信号に基づく相手方の音声を録音する。一方、通信選択部１０５によりファクシミリ通信が選択された場合には、ファクシミリ制御部１０７が、モデム２０及び画像コーデック２１などを制御することにより、外部端末からの画像データを画像データ記憶部２２に記憶させる。
【００５３】
図３は、留守番電話機能を実行したときのＣＰＵ１０による処理の一例を示したフローチャートである。ユーザ操作により留守番電話機能が実行されると（ステップＳ１０１でＹｅｓ）、録音部１９が起動されて録音可能状態になるとともに（ステップＳ１０２）、応答メッセージが再生されることにより報知処理が行われる（ステップＳ１０３）。
【００５４】
報知処理中は、通話機能及びファクシミリ機能以外の機能の中から、ユーザがいずれかの機能を選択するための機能選択画面が操作表示部１３に表示される（ステップＳ１０４）。この機能選択画面において、ユーザは、コピー機能、プリンタ機能、スキャナ機能、ネットワーク機能、フォト印刷機能及び赤外線通信機能の少なくとも１つを選択することができる。
【００５５】
応答メッセージは、予め定められた一定時間だけ再生された後、自動的に停止する。応答メッセージの再生が停止することにより報知処理が終了すると（ステップＳ１０５でＹｅｓ）、共通省電力モジュール５である操作表示部１３、受話器１７及びスピーカ１８に供給する電圧が遮断され（ステップＳ１０６）、報知処理中に機能選択画面でいずれかの機能が選択されたかどうかが判定される（ステップＳ１０７）。
【００５６】
報知処理中にいずれの機能も選択されていない場合には（ステップＳ１０７でＮｏ）、機能対応モジュール６のうち、通話機能及びファクシミリ機能に対応するモジュール以外のモジュールに供給する電圧が遮断される（ステップＳ１１１）。これにより、機能対応モジュール６のうち、ＮＩＣ２３、スキャナ２４、スキャナ制御部２５、プリンタ２６、プリンタ制御部２７、カードインターフェース２８、ＵＳＢインターフェース２９及び赤外線インターフェース３０に供給する電圧が遮断される。
【００５７】
一方、報知処理中にいずれかの機能が選択された場合には（ステップＳ１０７でＹｅｓ）、ＲＡＭ１１に記憶されている設定に基づいて、機能対応モジュール６のうち選択された機能に対応するモジュールに供給する電圧を遮断するか、又は、選択された機能に対応するモジュール以外のモジュールに供給する電圧を遮断するかを決定する（ステップＳ１０８）。
【００５８】
そして、選択された機能に対応するモジュールに供給する電圧を遮断するよう設定されている場合には（ステップＳ１０８でＹｅｓ）、通話機能及びファクシミリ機能に対応するモジュール以外のモジュールのうち、選択された機能に対応するモジュールに供給する電圧を遮断する（ステップＳ１０９）。例えば、報知処理中にコピー機能が選択された場合には、コピー機能に対応するモジュールであるスキャナ２４、スキャナ制御部２５、プリンタ２６及びプリンタ制御部２７に供給する電圧が遮断される。
【００５９】
これに対して、選択された機能に対応するモジュール以外のモジュールに供給する電圧を遮断するよう設定されている場合には（ステップＳ１０８でＮｏ）、通話機能及びファクシミリ機能に対応するモジュール以外のモジュールのうち、選択された機能に対応するモジュール以外のモジュールに供給する電圧を遮断する（ステップＳ１１０）。例えば、報知処理中にコピー機能が選択された場合には、通話機能、ファクシミリ機能及びコピー機能に対応するモジュール以外のモジュールであるＮＩＣ２３、カードインターフェース２８、ＵＳＢインターフェース２９及び赤外線インターフェース３０に供給する電圧が遮断される。
【００６０】
このようにして電圧が遮断されたモジュールに対する電圧の供給は、そのモジュールに関する機能が実行されたとき、又は、ユーザ操作により留守番電話機能の実行が解除されたとき再開される。
【００６１】
本実施の形態では、ユーザ操作に基づいて録音部１９が録音可能状態とされ、留守番電話機能が実行されるのに基づいて、ユーザが留守中であっても動作する場合のある通話機能及びファクシミリ機能に対応するモジュール以外のモジュールに供給する電圧を制御することができる。したがって、留守番電話機能の実行中には使用しないようなコピー機能、プリンタ機能、スキャナ機能、ネットワーク機能、フォト印刷機能又は赤外線通信機能などについては、その機能を実行するためのモジュールに供給する電圧を遮断することにより、使用状況に応じて効果的に消費電力を低減することができる。
【００６２】
ユーザによっては、通話機能及びファクシミリ機能に関するモジュール以外のモジュールについても、電圧を遮断しないように設定したい場合がある。例えば、留守中でないときにも留守番電話機能を実行させた状態で使用するようなユーザの場合には、留守番電話機能の実行中にコピー機能、プリンタ機能、スキャナ機能、ネットワーク機能、フォト印刷機能又は赤外線通信機能などが実行される場合がある。このような場合、留守番電話機能が実行されるのに基づいて、それらの機能に関するモジュールへの供給電圧が遮断されると、当該機能を実行する際に対応するモジュールを起動するのに時間がかかってしまう。
【００６３】
本実施の形態では、使用状況に応じてユーザが自ら操作を行うことによって、電圧を遮断するモジュールを選択することができる。特に、留守番電話機能が実行される際に行われる応答メッセージの再生などの報知処理中に、ユーザ操作によりモジュールを選択することができるので、モジュールを選択するためのモードを別途に起動させる必要がなく、操作性が向上する。
【００６４】
実施の形態２．
実施の形態１では、ユーザが選択した機能に対応するモジュールに供給する電圧を遮断するか、又は、ユーザが選択した機能に対応するモジュール以外のモジュールに供給する電圧を遮断するかを予め設定できるような構成について説明した。実施の形態２では、実施の形態１のようにユーザが予め設定を行うことができるような構成ではなく、ユーザが選択したモジュールに供給する電圧が遮断されるような設定となっている。
【００６５】
図４は、実施の形態２において留守番電話機能を実行したときのＣＰＵ１０による処理の一例を示したフローチャートである。ユーザ操作により留守番電話機能が実行されると（ステップＳ２０１でＹｅｓ）、録音部１９が起動されて録音可能状態になるとともに（ステップＳ２０２）、応答メッセージが再生されることにより報知処理が行われる（ステップＳ２０３）。
【００６６】
報知処理中は、通話機能及びファクシミリ機能以外の機能の中から、ユーザがいずれかの機能を選択するための機能選択画面が操作表示部１３に表示される（ステップＳ２０４）。この機能選択画面において、ユーザは、コピー機能、プリンタ機能、スキャナ機能、ネットワーク機能、フォト印刷機能及び赤外線通信機能の少なくとも１つを選択することができる。
【００６７】
応答メッセージは、予め定められた一定時間だけ再生された後、自動的に停止する。応答メッセージの再生が停止することにより報知処理が終了すると（ステップＳ２０５でＹｅｓ）、共通省電力モジュール５である操作表示部１３、受話器１７及びスピーカ１８に供給する電圧が遮断され（ステップＳ２０６）、報知処理中に機能選択画面でいずれかの機能が選択されたかどうかが判定される（ステップＳ２０７）。
【００６８】
報知処理中にいずれかの機能が選択された場合には（ステップＳ２０７でＹｅｓ）、通話機能及びファクシミリ機能に対応するモジュール以外のモジュールのうち、選択された機能に対応するモジュールに供給する電圧を遮断する（ステップＳ２０８）。例えば、報知処理中にコピー機能が選択された場合には、コピー機能に対応するモジュールであるスキャナ２４、スキャナ制御部２５、プリンタ２６及びプリンタ制御部２７に供給する電圧が遮断される。一方、報知処理中にいずれの機能も選択されていない場合には（ステップＳ２０７でＮｏ）、機能対応モジュール６のうちいずれのモジュールに供給する電圧も遮断されない。
【００６９】
本実施の形態では、ユーザがモジュールを選択する操作を行うことによって、選択されたモジュールに供給する電圧を遮断することができる。すなわち、ユーザは、留守番電話機能の実行中には使用しない機能に関するモジュールを選択することにより、そのモジュールに供給する電圧を遮断することができる。
【００７０】
実施の形態３．
実施の形態２では、ユーザが選択した機能に対応するモジュールに供給する電圧が遮断されるような構成について説明した。これに対して、実施の形態３では、ユーザが選択した機能に対応するモジュール以外のモジュールに供給する電圧が遮断されるような設定となっている。
【００７１】
図５は、実施の形態３において留守番電話機能を実行したときのＣＰＵ１０による処理の一例を示したフローチャートである。ユーザ操作により留守番電話機能が実行されると（ステップＳ３０１でＹｅｓ）、録音部１９が起動されて録音可能状態になるとともに（ステップＳ３０２）、応答メッセージが再生されることにより報知処理が行われる（ステップＳ３０３）。
【００７２】
報知処理中は、通話機能及びファクシミリ機能以外の機能の中から、ユーザがいずれかの機能を選択するための機能選択画面が操作表示部１３に表示される（ステップＳ３０４）。この機能選択画面において、ユーザは、コピー機能、プリンタ機能、スキャナ機能、ネットワーク機能、フォト印刷機能及び赤外線通信機能の少なくとも１つを選択することができる。
【００７３】
応答メッセージは、予め定められた一定時間だけ再生された後、自動的に停止する。応答メッセージの再生が停止することにより報知処理が終了すると（ステップＳ３０５でＹｅｓ）、共通省電力モジュール５である操作表示部１３、受話器１７及びスピーカ１８に供給する電圧が遮断され（ステップＳ３０６）、報知処理中に機能選択画面でいずれかの機能が選択されたかどうかが判定される（ステップＳ３０７）。
【００７４】
報知処理中にいずれかの機能が選択された場合には（ステップＳ３０７でＹｅｓ）、通話機能及びファクシミリ機能に対応するモジュール以外のモジュールのうち、選択された機能に対応するモジュール以外のモジュールに供給する電圧を遮断する（ステップＳ３０８）。例えば、報知処理中にコピー機能が選択された場合には、通話機能、ファクシミリ機能及びコピー機能に対応するモジュール以外のモジュールであるＮＩＣ２３、カードインターフェース２８、ＵＳＢインターフェース２９及び赤外線インターフェース３０に供給する電圧が遮断される。
【００７５】
一方、報知処理中にいずれの機能も選択されていない場合には（ステップＳ３０７でＮｏ）、機能対応モジュール６のうち、通話機能及びファクシミリ機能に対応するモジュール以外のモジュールに供給する電圧が遮断される（ステップＳ３０９）。これにより、機能対応モジュール６のうち、ＮＩＣ２３、スキャナ２４、スキャナ制御部２５、プリンタ２６、プリンタ制御部２７、カードインターフェース２８、ＵＳＢインターフェース２９及び赤外線インターフェース３０に供給する電圧が遮断される。
【００７６】
本実施の形態では、ユーザがモジュールを選択する操作を行うことによって、選択されたモジュール以外のモジュールに供給する電圧を遮断することができる。すなわち、ユーザは、留守番電話機能の実行中でも使用する機能に関するモジュールを選択することにより、それ以外のモジュールに供給する電圧を遮断することができる。
【００７７】
以上の実施の形態では、ユーザ操作に基づいて選択されたモジュールに供給する電圧を遮断するような構成について説明したが、選択されたモジュールに供給する電圧を遮断するのではなく、選択されたモジュールに供給する電圧を規定値以下まで低下させるような構成であってもよい。
【００７８】
また、留守番電話機能が実行されるのに基づいて、いずれかのモジュールに供給する電圧を制御するような構成であれば、上述したような各機能に関するモジュールに供給する電圧を制御するものに限らず、他のモジュールに供給する電圧を制御するものであってもよい。
【００７９】
上記実施の形態では、報知処理中に機能選択画面が操作表示部１３に表示され、この機能選択画面において、ユーザが、コピー機能、プリンタ機能、スキャナ機能、ネットワーク機能、フォト印刷機能及び赤外線通信機能の少なくとも１つを選択することができるような構成について説明した。しかし、このような構成に限らず、操作表示部１３に、コピー機能、プリンタ機能、スキャナ機能、ネットワーク機能、フォト印刷機能及び赤外線通信機能をそれぞれ選択するためのキーを設けて、ユーザが、報知処理中にこれらのキーを操作することにより機能を選択することができるような構成であってもよい。この場合、機能選択画面が操作表示部１３に表示されないようになっていてもよい。
【００８０】
また、応答メッセージは、予め定められた一定時間だけ再生された後、自動的に停止するようなものに限らず、任意の応答メッセージを再生できるような構成にして、応答メッセージの内容に応じた時間だけ再生された後、自動的に停止するようなものであってもよい。
【００８１】
上記実施の形態では、ＮＩＣ２３にＬＡＮ３が接続された構成について説明したが、ＮＩＣ２３には、ＬＡＮ３に限らず、インターネットなどの他のネットワークを接続することも可能である。また、他の端末との間で行う非接触通信は、赤外線通信に限らず、Bluetooth(登録商標)などを用いた他の非接触通信であってもよい。このように、上記実施の形態に記載されている各モジュールは一例に過ぎず、他のモジュールを適宜に採用することが可能である。
【図面の簡単な説明】
【００８２】
【図１】本発明の実施の形態１によるデジタル複合機の一例を示したブロック図である。
【図２】留守番電話機能を実行したときのＣＰＵによる処理の一例を示したブロック図である。
【図３】留守番電話機能を実行したときのＣＰＵによる処理の一例を示したフローチャートである。
【図４】実施の形態２において留守番電話機能を実行したときのＣＰＵによる処理の一例を示したフローチャートである。
【図５】実施の形態３において留守番電話機能を実行したときのＣＰＵによる処理の一例を示したフローチャートである。
【符号の説明】
【００８３】
１  デジタル複合機
２  電話回線
３  ＬＡＮ
４  非省電力モジュール
５  共通省電力モジュール
６  機能対応モジュール
１０  ＣＰＵ
１１  ＲＡＭ
１２  ＲＯＭ
１３  操作表示部
１４  ＬＥＤ表示部
１５  キースキャン部
１６  回線制御装置
１７  受話器
１８  スピーカ
１９  録音部
２０  モデム
２１  画像コーデック
２２  画像データ記憶部
２３  ＮＩＣ
２４  スキャナ
２５  スキャナ制御部
２６  プリンタ
２７  プリンタ制御部
２８  カードインターフェース
２９  ＵＳＢインターフェース
３０  赤外線インターフェース
１０１  留守番電話起動部
１０２  報知処理部
１０３  着信処理部
１０４  自動応答部
１０５  通信選択部
１０６  録音制御部
１０７  ファクシミリ制御部
１０８  省電力選択処理部
１０９  電圧供給制御部
【図１】
2007336402.tif 000003
【図２】
2007336402.tif 000004
【図３】
2007336402.tif 000005
【図４】
2007336402.tif 000006
【図５】
2007336402.tif 000007